(57)【要約】      （修正有）【課題】不審者を発見できる可能性を高めること【解決手段】本発明の連携セキュリティシステムは、複数のセキュリティシステム１−１、２、ｎと、前記複数のセキュリティシステム１−１、２、ｎにネットワーク３を介して接続された管制センターサーバ２と、を有する。ここで、前記複数のセキュリティシステム１−１、２、ｎの各々は、異常事態が発生すると、異常事態発生信号を前記管制センターサーバ２に送信する。また、前記管制センターサーバ２は、前記複数のセキュリティシステム１−１、２、ｎのいずれかから前記異常事態発生信号を受信すると、前記異常事態発生信号の送信元のセキュリティシステム以外の他のセキュリティシステムの監視動作を変更する。【選択図】図１
2013257689.tif 000002
【特許請求の範囲】
【請求項１】
複数のセキュリティシステムと、前記複数のセキュリティシステムにネットワークを介して接続された管制センターサーバと、を有する連携セキュリティシステムであって、
前記複数のセキュリティシステムの各々は、
異常事態が発生すると、異常事態発生信号を前記管制センターサーバに送信し、
前記管制センターサーバは、
前記複数のセキュリティシステムのいずれかから前記異常事態発生信号を受信すると、前記異常事態発生信号の送信元のセキュリティシステム以外の他のセキュリティシステムの監視動作を変更する、連携セキュリティシステム。
【請求項２】
前記管制センターサーバは、
前記複数のセキュリティシステムの各々が設置された場所または範囲を表す位置情報を予め記憶しており、
前記複数のセキュリティシステムのいずれかから前記異常事態発生信号を受信すると、前記異常事態発生信号の送信元のセキュリティシステムが設置された場所または範囲から一定距離内に設置された他のセキュリティシステムの監視動作を変更する、請求項１に記載の連携セキュリティシステム。
【請求項３】
前記管制センターサーバは、
表示モニターを備えており、
前記他のセキュリティシステムが監視カメラを備えている場合、前記表示モニターには、前記他のセキュリティシステムの監視カメラの撮影画像を表示する、請求項１または２に記載の連携セキュリティシステム。
【請求項４】
前記管制センターサーバは、
前記複数のセキュリティシステムが備える各監視カメラが設置された場所を表す位置情報を予め記憶しており、
前記他のセキュリティシステムの監視カメラの中から、前記異常事態発生信号の送信元のセキュリティシステムが設置された場所または範囲からの距離が近い順に所定台数分の監視カメラを選択し、
前記表示モニターには、前記選択した監視カメラの撮影画像を表示する、請求項３に記載の連携セキュリティシステム。
【請求項５】
前記管制センターサーバは、
前記監視カメラの撮影画像を前記表示モニターに表示している状態で、操作部を介して監視カメラが指定されると、前記指定された監視カメラを選択すると共に、前記指定された監視カメラが設置された場所からの距離が近い順に所定台数分の監視カメラを選択し、
前記表示モニターに表示する画像を、前記選択した監視カメラの撮影画像に切り替える、請求項４に記載の連携セキュリティシステム。
【請求項６】
前記管制センターサーバは、
前記監視カメラで撮影された画像を前記表示モニターに表示している状態で、操作部を介して特定人物の顔画像が指定されると、前記複数のセキュリティシステムが備える各監視カメラの撮影画像を対象として、前記指定された特定人物の顔画像を認識し、
前記特定人物の顔画像が認識された監視カメラを選択すると共に、前記特定人物の顔画像が認識された監視カメラが設置された場所からの距離が近い順に所定台数分の監視カメラを選択し、
前記表示モニターに表示する画像を、前記選択した監視カメラの撮影画像に切り替える、請求項４または５に記載の連携セキュリティシステム。
【請求項７】
複数のセキュリティシステムにネットワークを介して接続された管制センターサーバであって、
前記複数のセキュリティシステムの各々から、異常事態が発生したことを表す異常事態発生信号を受信する通信部と、
前記複数のセキュリティシステムのいずれかから前記異常事態発生信号を受信すると、前記異常事態発生信号の送信元のセキュリティシステム以外の他のセキュリティシステムの監視動作を変更する制御部と、を有する管制センターサーバ。
【発明の詳細な説明】
【技術分野】
【０００１】
本発明は、複数のセキュリティシステムを連携させる技術に関する。
【背景技術】
【０００２】
近年、不審者の侵入、火災、ガス漏れ等を監視するためのホームセキュリティシステムを設置する住戸が多くなっている。
【０００３】
一般的なホームセキュリティシステムにおいては、不審者の侵入、火災、ガス漏れ等の異常事態を検知した場合、異常事態発生信号を管制センターに送信する。
【０００４】
その場合、管制センターの管制員は、異常事態発生信号の送信元のホームセキュリティシステムが設置された住戸に電話をかけ、電話で異常事態の発生を確認した場合や電話が不通の場合に、その住戸に警備員を派遣する。また、管制員は、必要に応じて、警察・消防・ガス会社などへの通報も行う。
【０００５】
しかし、実際には、警備員が住戸に到着する時間は、管制センターで電話を受けてから約１０〜１５分程度の長い時間を要し、迅速な対応ができていない。
【０００６】
そのため、例えば、異常事態が不審者の侵入である場合、警備員が住戸に到着した時には、不審者が既に逃走していて、不審者を発見できない可能性が高いと考えられる。
【０００７】
そこで、最近は、ホームセキュリティシステムを設置する住居が多くなってきたことを利用して、上記のような問題を解決する技術が提案されている（例えば、特許文献１）。
【０００８】
具体的には、特許文献１に記載の技術においては、異常事態を検知したホームセキュリティシステムが、他のホームセキュリティシステムに異常事態発生信号を送信し、これを受けて、他のホームセキュリティシステムが警報を発する。
【０００９】
これにより、ある住戸で異常事態が発生した場合、近隣の住戸の住人が、異常事態が発生した住戸へ駆けつけるなど、迅速な対応が可能になる。
【先行技術文献】
【特許文献】
【００１０】
【特許文献１】特開２００３−０６７８７０号公報
【発明の概要】
【発明が解決しようとする課題】
【００１１】
しかし、特許文献１に記載の技術においては、異常事態が発生した住戸に隣接する住戸で警報を発するだけであり、もし、隣接する住戸に在宅する人がいなければ、異常事態が発生した住戸へ駆けつけることができない。
【００１２】
その結果、特許文献１に記載の技術を用いても、不審者を発見できない可能性はなお高いと考えられる。
【００１３】
そこで、本発明の目的は、不審者を発見できる可能性を高めることができる連携セキュリティシステム、管制センターサーバを提供することにある。
【課題を解決するための手段】
【００１４】
本発明の連携セキュリティシステムは、
複数のセキュリティシステムと、前記複数のセキュリティシステムにネットワークを介して接続された管制センターサーバと、を有する連携セキュリティシステムであって、
前記複数のセキュリティシステムの各々は、
異常事態が発生すると、異常事態発生信号を前記管制センターサーバに送信し、
前記管制センターサーバは、
前記複数のセキュリティシステムのいずれかから前記異常事態発生信号を受信すると、前記異常事態発生信号の送信元のセキュリティシステム以外の他のセキュリティシステムの監視動作を変更する。
【００１５】
本発明の管制センターサーバは、
複数のセキュリティシステムにネットワークを介して接続された管制センターサーバであって、
前記複数のセキュリティシステムの各々から、異常事態が発生したことを表す異常事態発生信号を受信する通信部と、
前記複数のセキュリティシステムのいずれかから前記異常事態発生信号を受信すると、前記異常事態発生信号の送信元のセキュリティシステム以外の他のセキュリティシステムの監視動作を変更する制御部と、を有する。
【発明の効果】
【００１６】
本発明によれば、不審者を発見できる可能性を高めることができる。
【図面の簡単な説明】
【００１７】
【図１】本発明の一実施形態の連携セキュリティシステムの構成の例を示す図である。
【図２】図１に示したホームセキュリティシステム１−１の構成の例を示すブロック図である。
【図３】図１に示したタウンセキュリティシステム１−２の構成の例を示すブロック図である。
【図４】図３に示した監視カメラの設置例を示す図である。
【図５】図１に示した管制センターサーバ２の構成の例を示すブロック図である。
【図６】図５に示した表示部２１３が備える表示モニターの設置例を示す図である。
【図７】図１に示したホームセキュリティシステム１−１とタウンセキュリティシステム１−２の設置例を示すブロック図である。
【図８】図１に示した管制センターサーバ２において、管制員が不審者を発見した監視カメラ１２２Ａを指定した場合の動作例を説明する図である。
【図９】図１に示した管制センターサーバ２において、管制員が不審者らしき特定人物を指定した場合の動作例を説明する図である。
【発明を実施するための形態】
【００１８】
以下に、本発明を実施するための形態について図面を参照して説明する。
（１）本実施形態の構成
（１−１）連携セキュリティシステムの全体構成
図１に示すように、本実施形態の連携セキュリティシステムは、複数のセキュリティシステム１−１〜１−ｎと、複数のセキュリティシステム１−１〜１−ｎにネットワーク３を介して接続された管制センターサーバ２と、を有している。
【００１９】
セキュリティシステム１−１〜１−ｎの種類としては、上述したホームセキュリティシステムの他、街全体を監視するタウンセキュリティシステム、駅構内を監視するセキュリティシステム、児童福祉施設を監視するセキュリティシステム、介護施設を監視するセキュリティシステム等、様々なセキュリティシステムが含まれるものとする。
【００２０】
ただし、本実施形態においては、一例として、セキュリティシステム１−１がホームセキュリティシステムであり（以下、適宜、ホームセキュリティシステム１−１と称す）、セキュリティシステム１−２がタウンセキュリティシステムである（以下、適宜、タウンセキュリティシステム１−２と称す）ものとし、以下、これらの構成について説明する。
（２−２）ホームセキュリティシステム１−１の構成
ホームセキュリティシステム１−１は、住戸に設置されるものであり、図２に示すように、通信部１１１と、監視カメラ１１２と、センサ群１１３と、操作部１１４と、制御部１１５と、を有している。
【００２１】
通信部１１１は、ネットワーク３を介して、管制センターサーバ２と通信を行う部分である。
【００２２】
なお、通信部１１１は、監視カメラ１１２や、センサ群１１３を構成する各センサにそれぞれ内蔵されるものでも良い。
【００２３】
監視カメラ１１２は、住戸の適切な場所に設置されるカメラである。例えば、監視カメラ１１２は、玄関等に設置される。監視カメラ１１２で撮影された撮影画像は、通信部１２１を介して、リアルタイムに管制センターサーバ２に送信され、管制センターサーバ２に記憶されて一定期間保存されるものとする。
【００２４】
なお、監視カメラ１１２は、複数の場所に設置されても良い。
【００２５】
センサ群１１３は、不審者の侵入を検知する侵入センサ、火災を検知する火災センサ、ガス漏れを検知するガス漏れセンサ等を含む。各センサは、住戸の適切な場所に設置される。例えば、侵入センサは、窓や戸等に設置され、火災センサは、各部屋等に設置され、ガス漏れセンサは、台所等に設置される。
【００２６】
なお、上述した各センサは、複数の場所に設置されても良い。
【００２７】
操作部１１４は、住人が操作を行う部分であり、住人が緊急時に押下する緊急ボタン等を備えている。
【００２８】
なお、操作部１１４は、壁等に固定して設置される型であっても良いし、持ち運び可能な型であっても良い。
【００２９】
制御部１１５は、ホームセキュリティシステム１−１内の構成要素を制御して各種の処理を行う部分である。
【００３０】
例えば、制御部１１５は、センサ群１１３を構成する各センサによって、不審者の侵入、火災、ガス漏れ等が検知された場合や、操作部１１４の緊急ボタンが押下された場合、異常事態が発生したことを表す異常事態発生信号を、通信部１１１からネットワーク３を介して、管制センターサーバ２に送信する等の処理を行う。
（２−３）タウンセキュリティシステム１−２の構成
タウンセキュリティシステム１−２は、街全体を監視するものであり、図３に示すように、通信部１２１と、監視カメラ１２２と、制御部１２３と、からなるユニット単位で街中の適切な場所に設置される。
【００３１】
通信部１２１は、ネットワーク３を介して、管制センターサーバ２と通信を行う部分である。
【００３２】
なお、通信部１２１は、監視カメラ１２２に内蔵されるものでも良い。
【００３３】
監視カメラ１２２は、例えば、図４に示すように、街中の適切な場所に設置されるカメラである。監視カメラ１２２で撮影された撮影画像は、通信部１２１を介して、リアルタイムに管制センターサーバ２に送信され、管制センターサーバ２に記憶されて一定期間保存されるものとする。
【００３４】
制御部１２３は、タウンセキュリティシステム１−１内の構成要素を制御して各種の処理を行う部分である。
【００３５】
例えば、制御部１２３は、管制センターサーバ２からのネットワーク３を介した指示に基づき、監視カメラ１２２の向きを変えて撮影範囲を変更したり、監視カメラ１２２が静止画を撮影するタイプであれば、単位時間当たりの撮影枚数を増加したりする等の処理を行う。
（２−４）管制センターサーバ２の構成
管制センターサーバ２は、管制センターに設置されるものであり、図５に示すように、通信部２１１と、記憶部２１２と、表示部２１３と、操作部２１４と、制御部２１５と、を有している。
【００３６】
通信部２１１は、ネットワーク３を介して、セキュリティシステム１−１〜１−ｎと通信を行う部分である。
【００３７】
記憶部２１２は、各種の情報を記憶する部分である。
【００３８】
例えば、記憶部２１２は、セキュリティシステム１−１〜１−ｎの各々について、識別子、設置された場所または範囲を表す位置情報等を記憶する。
【００３９】
また、記憶部２１２は、セキュリティシステム１−１〜１−ｎが備える監視カメラの各々について、識別子、設置された場所を表す位置情報等を記憶する。
【００４０】
また、記憶部２１２は、セキュリティシステム１−１〜１−ｎが備える監視カメラの撮影画像を記憶する。
【００４１】
表示部２１３は、各種の情報を表示する部分である。
【００４２】
本実施形態においては、表示部２１３は、図６に示すように、複数の表示モニターが縦横にマトリクス状に並べられ、表示面が同じ方向を向くように配置された構成であり、各表示モニターには、セキュリティシステム１−１〜１−ｎが備える監視カメラの１つが随時割り当てられ、その監視カメラが撮影した撮影画像を表示するものとする。
【００４３】
操作部２１４は、管制員が操作を行う部分であり、例えば、表示モニターに撮影画像を表示する監視カメラを指定する操作等が行われる。また、管制員は、操作部２１４により、通信部２１１を介したセキュリティシステム１−１〜１−ｎの遠隔操作も可能である。
【００４４】
制御部２１５は、管制センターサーバ２内の構成要素を制御して各種の処理を行う部分である。
【００４５】
例えば、制御部２１５は、ホームセキュリティシステム１−１からネットワーク３を介して異常発生信号を受信すると、ホームセキュリティシステム１−１が設置された住戸から一定距離内に設置された他のセキュリティシステムの監視動作を変更する等の処理を行う。
【００４６】
監視動作の変更とは、例えば、他のセキュリティシステムが監視カメラを備える場合、撮影範囲の変更、撮影した画像の保存期間の延長等が考えられ、また、その監視カメラが静止画を撮影するタイプであれば、単位時間当たりの撮影枚数の増加等も考えられる。
（２）本実施形態の動作
以下、本実施形態の連携セキュリティシステムの動作について説明する。
【００４７】
ここでは、図７に示すように、ホームセキュリティシステム１−１が設置された住戸＃１は、タウンセキュリティシステム１−２が設置された街に存在し、その住戸＃１にて不審者が侵入するという異常事態が発生したものとする。
【００４８】
ホームセキュリティシステム１−１においては、住戸＃１に不審者が侵入すると、これをセンサ群１１３の侵入センサが検知し、制御部１１５が、ホームセキュリティシステム１−１の識別子や異常事態の種別情報（ここでは、不審者の挿入）を付加した異常事態発生信号を管制センターサーバ２に送信する。
【００４９】
管制センターサーバ２においては、ホームセキュリティシステム１−１から異常事態発生信号を受信すると、制御部２１５は、記憶部２１２を参照して、ホームセキュリティシステム１−１が設置された場所または範囲を確認すると共に、その場所または範囲から一定距離内に設置された他のセキュリティシステムを検索する。
【００５０】
ここでは、ホームセキュリティシステム１−１が住戸＃１に設置されており、住戸＃１は、タウンセキュリティシステム１−２が設置された街に存在しているため、タウンセキュリティシステム１−２が検索されたとする。
【００５１】
そこで、制御部２１５は、タウンセキュリティシステム１−２の監視動作を変更する。
【００５２】
例えば、制御部２１５は、タウンセキュリティシステム１−２が備える制御部１２３に遠隔で指示を送信し、監視カメラ１２２の向きを変えて、撮影範囲が広範にわたるように変更することや、監視カメラ１２２が静止画を撮影するタイプであれば、単位時間当たりの撮影枚数を増加することが考えられる。
【００５３】
また、制御部２１５は、監視カメラ１２２が撮影した撮影画像の記憶部２１２における保存期間を延長することも考えられる。
【００５４】
なお、監視動作の変更対象となる監視カメラ１２２は、タウンセキュリティシステム１−２が備える全ての監視カメラ１２２とする必要はなく、住戸＃１から一定距離内に設置された監視カメラ１２２のみとしても良い。
【００５５】
さらに、制御部２１５は、タウンセキュリティシステム１−２が備える監視カメラ１２２の各々の撮影画像を、表示部２１３の表示モニターの各々に表示する。
【００５６】
このとき、監視カメラ１２２の総台数が表示部２１３の表示モニターの総台数を超えていれば、制御部２１５は、住戸＃１からの距離が近い順に所定台数（表示モニターの総台数以下）分の監視カメラ１２２を選択し、選択した監視カメラ１２２の各々の撮影画像を、表示部２１３の表示モニターの各々に表示する。
【００５７】
以降、管制員は、表示モニターに表示された撮影画像を監視し、不審者の発見を行うことになる。
【００５８】
管制員は、不審者らしき人物を写している監視カメラ１２２がある場合、操作部２１４を介して、制御部１２３に遠隔で指示を送信して、その監視カメラ１２２の向きを変更したり、その監視カメラ１２２をズームアップしたりすることができる。
【００５９】
また、管制員は、不審者らしき人物が写っている監視カメラ１２２がある場合、表示モニターに表示する画像を、その監視カメラ１２２の撮影画像と、その監視カメラ１２２の近くに設置された監視カメラの撮影画像とに切り替えることができる。
【００６０】
例えば、図８に示すように、管制員は、ある監視カメラ１２２（ここでは、監視カメラ１２２Ａとする）で、マスクを被った不審者らしき人物を発見した場合、操作部２１４を介して、監視カメラ１２２Ａを指定する。監視カメラ１２２Ａの指定は、監視カメラ１２２Ａの識別子で指定する方法や、表示モニターの位置で指定する方法等が考えられる。
【００６１】
すると、制御部２１５は、まず、監視カメラ１２２Ａを選択する。さらに、記憶部２１２を参照して、監視カメラ１２２Ａが設置された場所を確認すると共に、その場所からの距離が近い順に所定台数（表示モニターの総台数から監視カメラ１２２Ａの１台分を減じた台数以下）分の監視カメラを選択する。ここで選択する監視カメラは、タウンセキュリティシステム１−２の監視カメラ１２２に限らず、ホームセキュリティシステムの監視カメラや、駅構内を監視するセキュリティシステムの監視カメラ等、他のセキュリティシステムの監視カメラも対象となる。
【００６２】
そして、制御部２１５は、表示部２１３の表示モニターの各々に表示する撮影画像を、上記で選択した監視カメラ１２２Ａとその近くに設置された監視カメラの撮影画像と、に切り替える。なお、図８において、監視カメラ１２２Ａの撮影画像の表示位置は一例であり、その他の位置に表示しても良い。
【００６３】
また、不審者は、上述したようにマスクを被る等の変装をすることが多いが、管制員は、表示モニターで撮影画像を監視した結果、ある監視カメラ１２２でマスクを脱いだ不審者らしき特定人物を発見した場合、その特定人物の顔画像を指定すれば、以降に、その特定人物を撮影した監視カメラの撮影画像に切り替えることできる。
【００６４】
例えば、図９に示すように、管制員は、ある監視カメラ１２２でマスクを脱いだ不審者らしき特定人物を発見した場合、操作部２１４を介して、その特定人物の顔画像を指定する。特定人物の顔画像の指定は、記憶部２１２内の特定人物を撮影した撮影画像とその撮影画像内の位置とで指定する方法等が考えられる。
【００６５】
以降、制御部２１５は、セキュリティシステム１−１〜１−ｎが備える全ての監視カメラの撮影画像を対象にして、顔認識技術を利用して、指定された特定人物の顔画像を認識する。このとき、顔認識技術としては公知の技術を利用することができるため、顔認識に関する具体的な処理の説明は省略する。ここでは、監視カメラ１２２Ｂの撮影画像から、特定人物の顔画像が認識されたとする。
【００６６】
すると、制御部２１５は、まず、監視カメラ１２２Ｂを選択する。さらに、記憶部２１２を参照して、監視カメラ１２２Ｂが設置された場所を確認すると共に、その場所からの距離が近い順に所定台数（表示モニターの総台数から監視カメラ１２２Ｂの１台分を減じた台数以下）分の監視カメラを選択する。ここで選択する監視カメラは、タウンセキュリティシステム１−２の監視カメラ１２２に限らず、ホームセキュリティシステムの監視カメラや、駅構内を監視するセキュリティシステムの監視カメラ等、他のセキュリティシステムの監視カメラも対象となる。
【００６７】
そして、制御部２１５は、表示部２１３の表示モニターの各々に表示する撮影画像を、上記で選択した監視カメラ１２２Ｂとその近くに設置された監視カメラの撮影画像と、に切り替える。なお、図９において、監視カメラ１２２Ｂの撮影画像の表示位置は一例であり、その他の位置に表示しても良い。
（３）本実施形態の効果
上述したように本実施形態においては、管制センターサーバ２は、複数のセキュリティシステム１−１〜１−ｎのいずれか（例えば、ホームセキュリティシステム１−１）から異常事態発生信号（例えば、不審者の侵入を表す信号）を受信すると、異常事態発生信号の送信元のセキュリティシステム以外の他のセキュリティシステム（例えば、タウンセキュリティシステム１−２）の監視動作を変更する。
【００６８】
なお、監視動作の変更の例としては、タウンセキュリティシステム１−２が備える監視カメラ１２２が静止画を撮影するタイプであれば、単位時間当たりの撮影枚数を増加することが考えられる。この場合、多くの撮影画像を基に、不審者を発見することができる。
【００６９】
また、監視動作の変更の例としては、タウンセキュリティシステム１−２が備える監視カメラ１２２の向きを変えて、撮影範囲が広範にわたるように変更することが考えられる。この場合、広範な範囲から不審者を発見することができる。
【００７０】
また、監視動作の変更の例としては、タウンセキュリティシステム１−２が備える監視カメラ１２２が撮影した撮影画像の記憶部２１２における保存期間を延長することが考えられる。この場合、長期間にわたる撮影画像を基に、不審者を発見することができる。
【００７１】
したがって、不審者を発見できる可能性を高めることができる。
【００７２】
さらに、本実施形態においては、管制センターサーバ２は、上述した他のセキュリティシステム（例えば、タウンセキュリティシステム１−２）が備える監視カメラの撮影画像を、表示部２１３の表示モニターに表示する。
【００７３】
また、管制センターサーバ２は、以降に、管制員から監視カメラが指定されると、表示モニターに表示する撮影画像を、指定された監視カメラとその近くに設置された監視カメラの撮影画像に切り替える。
【００７４】
そのため、管制センターの管制員は、ある監視カメラで不審者を発見した場合、その監視カメラを指定すれば、その近くに設置された監視カメラの撮影画像に切り替えて表示することができるため、不審者を追跡することができ、不審者を発見できる可能性をさらに高めることができる。また、不審者の逃走経路まで確認することができる。
【００７５】
また、管制センターサーバ２は、以降に、管制員から特定人物の顔画像が指定されると、セキュリティシステム１−１〜１−ｎが備える全ての監視カメラの撮影画像を対象にして、特定人物の顔画像を認識し、いずれかの撮影画像から特定人物の顔画像が認識された場合、表示モニターに表示する撮影画像を、特定人物の顔画像が認識された監視カメラとその近くに設置された監視カメラの撮影画像に切り替える。
【００７６】
そのため、管制センターの管制員は、ある監視カメラでマスクを脱いだ不審者らしき特定人物を発見した場合、その特定人物の顔画像を指定すれば、その特定人物の顔画像が認識された監視カメラとその近くに設置された監視カメラの撮影画像に切り替えて表示することができるため、不審者を自動的に追跡することもできる。
（４）その他の実施形態
以上、実施形態を参照して本発明を説明したが、本発明は上記実施形態に限定されるものではない。本発明の構成や詳細には、本発明の範囲内で当業者が理解し得る様々な変更をすることができる。
【００７７】
例えば、上記実施形態においては、ホームセキュリティシステム１−１で異常事態の発生を検知して、タウンセキュリティシステム１−２の監視動作を変更する例について説明したが、本発明はこれに限定されず、異常事態の発生を検知したセキュリティシステム以外の他のセキュリティシステムの監視動作を変更するものであれば良い。
【００７８】
また、上記実施形態においては、住居に侵入した不審者を追跡する例について説明したが、本発明はこれに限定されず、迷子の子供や徘徊老人等を追跡する場合に適用しても良い。
【符号の説明】
【００７９】
１−１〜１−ｎ    セキュリティシステム
２    管制センターサーバ
３    ネットワーク
１１１    通信部
１１２    監視カメラ
１１３    センサ群
１１４    操作部
１１５    制御部
１２１    通信部
１２２    監視カメラ
１２３    制御部
２１１    通信部
２１２    記憶部
２１３    表示部
２１４    操作部
２１５    制御部
【図１】
2013257689.tif 000003
【図２】
2013257689.tif 000004
【図３】
2013257689.tif 000005
【図４】
2013257689.tif 000006
【図５】
2013257689.tif 000007
【図６】
2013257689.tif 000008
【図７】
2013257689.tif 000009
【図８】
2013257689.tif 000010
【図９】
2013257689.tif 000011